【事件の表示】
　特願２００２−１８４６６２「会員登録方法、及び会員登録システム」拒絶査定不服審判事件〔平成１６年　１月２９日出願公開、特開２００４−　３０１６８〕について、次のとおり審決する。
【結　論】
　本件審判の請求は、成り立たない。
【理　由】
１．手続の経緯
　本願は，平成１４年６月２５日の出願であって，平成１８年５月２日付けで拒絶理由通知がなされ，同年６月２７日付けで意見書の提出と共に手続補正がなされたが，平成１９年３月９日付けで拒絶査定がなされ，これに対し，平成１９年４月６日付けで拒絶査定不服審判が請求されると共に手続補正がなされたものである。
　 
２．平成１９年４月６日付けの手続補正についての補正却下の決定
［補正却下の決定の結論］
　平成１９年４月６日付けの手続補正を却下する。
　
［理由］
　平成１９年４月６日付けの手続補正（以下，「本件補正」という。）により，特許請求の範囲は，次のとおりに補正された。
 「【請求項１】　
　携帯端末から通信網を介して会員登録を行う会員登録方法において，
　前記携帯端末は，外部サーバと自動接続する機能および自動ダウンロードのアプリケーションプログラムを有し，外部サーバから得たＵＲＬ情報に基づいて当該ＵＲＬのサーバと自動接続し，自動ダウンロードのアプリケーションプログラムが起動して前記サーバから自動送信アプリケーションプログラムをダウンロードし，
　前記外部サーバは，外部信号を携帯端末に信号を送って前記自動送信アプリケーションプログラムを起動させ，当該携帯端末が固有に備える識別データを自動送信させることによって自動取得し，当該識別データを会員登録データとして会員登録を行うことを特徴とする，会員登録方法。
【請求項２】
　携帯端末から会員登録を行う会員登録システムにおいて，
　前記携帯端末は，当該携帯端末に固有の識別データを保持する保持手段と，
　外部からの起動信号に基づいて前記保持手段から識別データを読み出し送信する送受信手段と，
　外部サーバと自動接続する機能と，
　自動ダウンロードのアプリケーションプログラムとを備え，
　前記自動接続する機能により，外部から得たＵＲＬ情報に基づいて当該ＵＲＬのサーバと自動接続し，
　前記自動ダウンロードのアプリケーションプログラムを起動して，前記接続したサーバから自動送信アプリケーションプログラムをダウンロードし，
　外部からの起動信号に基づいて当該自動送信アプリケーションプログラムを起動し，保持手段から読み出した識別データを送受信手段から送信することを特徴とする会員登録システム。
【請求項３】
　前記自動送信アプリケーションプログラムは，
　前記携帯端末において，起動信号の識別，当該起動信号に基づく前記保持手段からの識別データの読み出し，及び当該読み出した識別データの送信を行う送受信手段の各手順を定めたアプリケーションプログラムであることを特徴とする，請求項２に記載の会員登録システム。
【請求項４】
　携帯端末から会員登録装置に会員登録を行う会員登録システムにおいて，
　前記会員登録装置は，
　前記携帯端末との間において，前記携帯端末に対して当該携帯端末に固有の識別データを送信させる起動信号を送信し，当該携帯端末が送信した識別データを受信する送受信手段と，
　受信した前記識別データを会員登録データとして記録する記録手段とを備え，
　前記送受信手段は，自動ダウンロードのアプリケーションプログラムの起動に基づいて，識別データを送信させる手順を定めた自動送信アプリケーションプログラムを保持するサーバのＵＲＬ情報を起動信号と共に命令オブジェクトとして送信することを特徴とする，
会員登録システム。
【請求項５】
　携帯端末から会員登録装置に会員登録を行う会員登録システムにおいて，
　前記携帯端末は，当該携帯端末に固有の識別データを保持する保持手段と，
　外部からの起動信号に基づいて前記保持手段から識別データを読み出し送信する端末側送受信手段と，
　外部サーバと自動接続する機能と，
　自動ダウンロードのアプリケーションプログラムとを備え，
　前記会員登録装置は，
　前記携帯端末との間において，前記携帯端末に対して当該携帯端末に固有の識別データを送信させる起動信号を送信し，当該携帯端末が送信した識別データを受信する装置側送受信手段と，
　受信した前記識別データを会員登録データとして記録する記録手段とを備え，
　前記会員登録装置の装置側送受信手段は，識別データを送信させる手順を定めた自動送信アプリケーションプログラムを保持するサーバのＵＲＬ情報を起動信号と共に命令オブジェクトとして送信し，
　前記携帯端末の端末側送受信手段は，自動接続する機能により，外部から得たＵＲＬ情報に基づいて当該ＵＲＬのサーバと自動接続し，前記自動ダウンロードのアプリケーションプログラムを起動して，前記接続したサーバから自動送信アプリケーションプログラムをダウンロードし，外部からの起動信号に基づいて当該自動送信アプリケーションプログラムを起動し，保持手段から読み出した識別データを送受信手段から送信し，
　前記会員登録装置の装置側送受信手段は，前記携帯端末が送信した識別データを受信することを特徴とする会員登録システム。
【請求項６】
　前記携帯端末は携帯電話であり，前記登録機器は遊技機，景品管理ＰＯＳ，カード処理装置，計数機，遊技機の間に設置される台間サービス機器の少なくとも何れか一つに設けられることを特徴とする，請求項２から５の何れか一つに記載の会員登録システム。」
 　
　本件補正は，請求項１について，「前記携帯端末は，（中略）
外部サーバから得た
　さらに，本件補正は，請求項４について，「前記送受信手段は，
自動ダウンロードのアプリケーションプログラムの起動に基づいて，
　
　当該補正事項１及び２について，願書に最初に添付した明細書又は図面を参酌すると，「ＵＲＬ情報」及び当該「ＵＲＬ情報」を含む「命令オブジェクト」に関する記載は以下のとおりである。
・同明細書の段落【００１０】の「携帯端末は自動ダウンロードのアプリケーションプログラムを内蔵し，ＵＲＬ情報を取得すると，自動ダウンロードのアプリケーションプログラムが起動し，サーバから自動送信アプリケーションプログラムをダウンロードする。」という記載。
・同明細書の段落【００１４】の「携帯端末は外部サーバと自動接続する機能を有し，外部から得たＵＲＬ情報に基づいて当該ＵＲＬのサーバと自動接続し，このサーバから自動送信アプリケーションプログラムをダウンロードする。また，送受信手段は近距離無線通信機能を有し，この近距離無線通信機能により，起動信号及びＵＲＬ情報の受信，及び識別データの送信を行う。」という記載。
・同明細書の段落【００１７】の「送受信手段は，起動信号と共にＵＲＬ情報を命令オブジェクトとして送信する。このＵＲＬ情報は，識別データを送信させる手順を定めた自動送信アプリケーションプログラムを保持するサーバを特定する。自動ダウンロードのアプリケーションプログラムはこのＵＲＬ情報を用いてサーバと接続し，サーバから自動送信アプリケーションプログラムをダウンロードする。」という記載。
・同明細書の段落【００２０】の「携帯端末と会員登録装置は共に近距離無線通信機能を備え，この近距離無線通信機能により，会員登録装置から携帯端末へ起動信号及びＵＲＬ情報を送信し，携帯端末から会員登録装置へ識別データを送信する。」という記載。
・同明細書の段落【００３０】の「携帯端末は自動ダウンロードのアプリケーションプログラム，及び自動送信アプリケーションプログラムを備える。自動ダウンロードのアプリケーションプログラムは，ＵＲＬ情報に基づいてそのＵＲＬで特定されるサーバに自動で接続を行うアプリケーションプログラムであり，サーバから所定のアプリケーションをダウンロードする。」という記載。
・同明細書の段落【００３２】の「以下の説明では，自動ダウンロードのアプリケーションプログラムを携帯端末２は予め格納しておき，近距離無線通信機能により外部からＵＲＬ情報を取り込むことでこのアプリケーションプログラムを起動させてサーバに接続し，サーバから自動送信アプリケーションプログラムをダウンロードする。」という記載。
・同明細書の段落【００３３】の「また，自動ダウンロードのアプリケーションプログラムの起動は，外部からＵＲＬ情報を取り込むことによる起動に限らず，ＵＲＬ情報についても予め格納しておき，メニュー等で接続先のサーバを選択することにより起動させるようにしてもよい。」という記載。
・同明細書の段落【００４５】の「自動ダウンロードのアプリケーションプログラムは，ＵＲＬ情報に基づいてサーバに接続し，所定のアプリケーションプログラムを携帯端末にダウンロードするプログラムである。本発明では，このプログラムは外部から入力された命令オブジェクトに含まれるＵＲＬ情報により起動される。なお，プログラムの起動は，ＵＲＬ情報の入力に限らず，外部あるいは操作部２ｄからの起動コマンドにより行うようにしてもよい。この場合，記憶部２ｃ内にＵＲＬ情報を予め記憶させておくこともできる。」という記載。
・同明細書の段落【００７５】の「なお，命令オブジェクトは，自動送信アプリケーションプログラムを起動させる起動コマンドと，自動送信アプリケーションプログラム等を自動ダウンロードするためのサーバのＵＲＬ情報とを含む。携帯端末は，近距離無線通信の通信範囲内に入ることで，登録機器から送信された命令オブジェクトを受信する（２）。携帯端末は命令オブジェクトを受信すると，自動ダウンロードのアプリケーションプログラムを起動して，命令オブジェクト中に含まれるＵＲＬ情報が指定するＷｅｂサーバに接続し，自動送信アプリケーションプログラムを要求する。」という記載。
・同明細書の段落【００８４】の「起動コマンドで動作するアプリケーションプログラムがない場合には，自動ダウンロードのアプリケーションプログラムを起動して，命令オブジェクト中に含まれるＵＲＬ情報が指定するＷｅｂサーバに接続し（ステップＳ３），自動送信アプリケーションプログラムを要求する（ステップＳ４）。」という記載。
　
　当該補正事項１に関して，これらの記載によれば，「携帯端末」は，「会員登録装置」の「送受信手段」が備える「近距離無線通信機能」から「ＵＲＬ情報」を得ることが記載されているものの，「ＵＲＬ情報」を「外部サーバ」から得ることは何ら記載されておらず，同明細書又は図面の記載から自明のことでもない。
　さらに，補正事項２に関して，これらの記載（特に段落【００３２】，【００７５】）によれば，「送受信手段」が「識別データを送信させる手順を定めた自動送信アプリケーションプログラムを保持するサーバのＵＲＬ情報を起動信号と共に命令オブジェクトとして送信する」ことで，「
自動ダウンロードのアプリケーションプログラムの起動
自動ダウンロードのアプリケーションプログラムの起動に基づいて，
　したがって，当該補正事項１及び補正事項２を含む本件補正は，当初明細書等のすべての記載を総合することにより導かれる技術的事項との関係において，新たな技術的事項を導入するものである。
　
　以上のとおりであるから，本件補正は，平成１４年法律第２４号改正附則第３条第１項によりなお従前の例によるとされる同法による改正前の特許法第１７条の２第３項の規定に違反するので，同法第１５９条第１項において読み替えて準用する同法第５３条第１項の規定により却下すべきものである。
　
３．本願発明について
　平成１９年４月６日付けの手続補正は上記のとおり却下されたので，本願の請求項１に係る発明（以下「本願発明」という。）は，平成１８年６月２７日付けの手続補正書の特許請求の範囲の請求項１に記載された事項により特定される，次のとおりのものである。
　
「携帯端末から通信網を介して会員登録を行う会員登録方法において，
　携帯端末が備える自動送信アプリケーションプログラムを外部起動させ，当該携帯端末が固有に備える識別データを自動送信させることによって自動取得し，当該識別データを会員登録データとして会員登録を行うことを特徴とする，会員登録方法。」
　
４．原査定の拒絶の理由について
　
　原査定の平成１８年５月２日付けの拒絶理由通知書により通知した拒絶の理由Ｃの概要は，以下のとおりである。　
『この出願の下記の請求項に係る発明は，その出願前日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　記　　　（引用文献等については引用文献等一覧参照）
　請求項１−２０
　引用文献１−３
　引用文献１には，携帯電話の固有の識別データを利用して会員登録を行うシステムが記載されている。
　また，アプリケーションプログラムをサーバより取得する技術は，引用文献２（特に第85-107段落参照），引用文献３に例示する用に周知の技術である。
　引用文献１−３より本願発明とすることは容易になしうるものである。
　なお，登録装置をどこに設けるか等の相違については，当業者が適宜設計する事項である。
　　　　　　　　　　　引　用　文　献　等　一　覧
　　１．特開2002-172262号公報
　　２．特開2001-282469号公報
　　３．図解でよくわかる携帯電話ビジネスのしくみ，アスカ・エフ・
　　　　プロダクツ，2000年12月15日，第10刷，98-99頁』
　
　また，平成１９年３月９日付けの拒絶査定により示された拒絶の理由の概要は，以下のとおりである。
　『この出願については，平成１８年　５月　２日付け拒絶理由通知書に記載した理由によって，拒絶をすべきものである。
　なお，意見書並びに手続補正書の内容を検討したが，拒絶理由を覆すに足りる根拠が見いだせない。
備考
　出願人は意見書にて『これに対して，引用文献１に示される会員登録装置は，携帯電話を直接接続させて携帯電話リーダ２４によって電話番号を読み取るための携帯電話装着部２３が必要であり，タッチパネル式ディスプレイ２５によって会員登録情報を入力する必要があり，「携帯端末が備える識別データを外部起動により送信する」点について何ら記載されていません。』と主張している。
　しかしながら，引用文献１（第４８段落参照）には，無線接続して情報を送受信する点が記載されていることから，携帯電話装着部２３を用いずに電話番号を読み取る構成とすることは，容易になしうることにすぎない。また，引用文献１（第１０１段落参照）には，「会員登録の管理に関する会員登録装置２０は，携帯電話装着部２３に接続された携帯電話５から電話番号を携帯電話リーダ２４により読み取り，会員登録情報（例えば遊技者が希望する暗証番号や，遊技者の住所，氏名，生年月日，性別，及び電子メールアドレス等）の入力をタッチパネル式ディスプレイ２５により受け付け，該電話番号及び該会員登録情報を通信部２１により管理コンピュータ１０に送信する」と記載されているように，会員登録情報については，利用者による入力操作であるものの，携帯電話が備える電話番号（本願の識別データに相当する）については，携帯電話から登録装置に送信されているものであり，該電話番号の送信については利用者による操作が必要であるか否かについては明記されていない。一方，先に提示した引用文献２（第３５７段落の記載参照）には，ステーションが携帯端末に設定された電話番号を自動的に取り込む点が記載されていることから，入力操作を行うことなく電話番号を送受信する構成とすることは，容易になしうることにすぎない。そして，電話番号を自動的に取り込むために，携帯電話の外部よりなされた送信要求により電話番号を送信する構成とすることは容易に着想できることであり，また，携帯電話より情報を送信するために，携帯電話の何らかのアプリケーションを起動させることは当然のことであるから，「携帯端末が備える識別データを外部起動により送信する」構成を着想することは，容易になしうることにすぎない。
　よって，本願請求項１−２０に係る発明は，依然として先に提示した引用文献より容易に発明をすることができたものである。』
　
５．当審の判断
５−１．引用例について
（１）引用例１について
　原査定の拒絶理由通知で引用した「特開２００２−１７２２６２号公報」（以下「引用例１」という。）には，図面とともに以下のことが記載されている。
　
（ア）「【発明の詳細な説明】
【０００１】
【発明の属する技術分野】
　本発明は，遊技機による遊技に関連して使用されるシステムに関し，さらに詳しくは，携帯端末（例えば携帯電話等），及び該携帯端末を特定可能な情報（例えば電話番号等）を利用して，遊技に関わる所定価値の大きさの登録や使用が可能であるような遊技用システムに関する。」明細書段落【０００１】
　
（イ）「【００４１】遊技用システム１は，価値登録装置と，価値使用装置と，管理装置とからなり，必要に応じて遊技者登録装置を備えるものである。なお，以下においては，特に断りがある場合を除き，携帯端末が携帯電話５であり，携帯端末を特定可能な情報が電話番号である場合について説明を行う。（中略）
【００４４】さらに管理装置は，前記価値登録装置及び前記価値使用装置と通信可能に接続され，読取部により読み取られた電話番号と，遊技に関わる所定価値の大きさを対応付けて管理するものであり（図２参照），具体的には図１に示す管理コンピュータ１０である。
【００４５】さらにまた遊技者登録装置は，接続部（ここでは携帯電話装着部２３）により携帯電話５と通信可能に接続され，読取部（ここでは携帯電話リーダ２４）により電話番号を読み取ることで，該読み取られた電話番号を，遊技者を特定可能な情報として登録するための処理を行うものであり，具体的には図１に示す会員登録装置２０である。
【００４６】ここで接続部である携帯電話装着部２３，３３，４３，５３，６３は，図１及び図３〜図７に示すように，遊技者が所持する携帯電話５と通信可能に接続されるものであり，具体的には，一面が開口する容器状の携帯電話装着部の内底面に備えられる図示しないコネクタと，携帯電話５の端子６とが接触することにより，通信可能に接続される。（中略）
【００４７】また読取部である携帯電話リーダ２４，３４，４４，５４，６４は，図１に示すように，前記接続部に接続された携帯電話５から，該携帯電話５に備えられるメモリーに記憶されている電話番号を読み取るものである。
【００４８】なお前記接続部及び前記読取部は，携帯電話５と非接触で交信して電話番号を読み取るものでも良く，具体的には，例えば複数のデジタル機器を無線で接続する近距離ネットワーク技術であるブルートゥースに対応したもの，赤外線通信に対応したもの，又は光通信に対応したもの等でも良い。この場合には，前記携帯電話装着部及び前記携帯電話リーダに代えて設けられる交信部により，携帯電話５から発せられる電波信号，赤外線信号，又は光信号を受けて非接触で交信し，該携帯電話５に備えられるメモリーに記憶されている電話番号を読み取る。」明細書段落【００４１】−【００４８】
　
（ウ）「【００９９】［３．遊技用システム１の作用］次に，本発明に係る遊技用システム１の作用について説明する。遊技用システム１は，大別すると（１）会員登録の管理，（中略）の作用を奏する。なお，以下に説明する作用の手順は，適宜変更可能である。
【０１００】［３−１．会員登録の管理に関する遊技用システム１の作用］まず，会員登録の管理に関する会員登録装置２０及び管理コンピュータ１０の作用について説明する。
【０１０１】会員登録の管理に関する会員登録装置２０は，携帯電話装着部２３に接続された携帯電話５から電話番号を携帯電話リーダ２４により読み取り，会員登録情報（例えば遊技者が希望する暗証番号や，遊技者の住所，氏名，生年月日，性別，及び電子メールアドレス等）の入力をタッチパネル式ディスプレイ２５により受け付け，該電話番号及び該会員登録情報を通信部２１により管理コンピュータ１０に送信する。（中略）
【０１０３】一方，会員登録の管理に関する管理コンピュータ１０は，前記電話番号及び前記会員登録情報を通信部１１により会員登録装置２０から受信し，該電話番号と貯玉数，ポイント，及び前払金額を対応付けて記録した図２（ａ）に示すリスト１４を制御部１２により作成し，また該電話番号と該会員登録情報を対応付けて記録した図示しないリストを制御部１２により作成して，それらを会員ＤＢ１３に記憶する。」明細書段落【００９９】−【０１０３】
　
　上記摘記事項（ア）乃至（ウ）によれば，引用例１には，以下の発明（以下「引用例１発明」という。）が開示されている。
　
「携帯端末（携帯電話），及び該携帯端末を特定可能な情報（電話番号）を利用して，遊技に関わる所定価値の大きさの登録が可能な遊技用システムに用いられる方法であって，
　遊技者登録装置が，携帯電話装着部により携帯電話と通信可能に接続され，携帯電話リーダにより電話番号を読み取ることで，該読み取られた電話番号を，遊技者を特定可能な情報として登録するための処理を行うこと，
　携帯電話リーダは，前記接続部に接続された携帯電話から，該携帯電話に備えられるメモリーに記憶されている電話番号を読み取るものであること，
　前記接続部及び前記読取部は，携帯電話と非接触で交信して電話番号を読み取るものであって，この場合には，前記携帯電話装着部及び前記携帯電話リーダに代えて設けられる交信部により，携帯電話から発せられる信号を受けて非接触で交信し，該携帯電話に備えられるメモリーに記憶されている電話番号を読み取るものであること，
　会員登録の管理に関する会員登録装置は，携帯電話装着部に接続された携帯電話から電話番号を携帯電話リーダにより読み取り，会員登録情報の入力を受け付け，該電話番号及び該会員登録情報を通信部により管理コンピュータに送信し，
　会員登録の管理に関する管理コンピュータは，前記電話番号及び前記会員登録情報を通信部により会員登録装置から受信し，該電話番号と該会員登録情報を対応付けて記録したリストを制御部により作成して，会員ＤＢに記憶すること。」
　
（２）引用例２について
　原査定の拒絶理由通知で引用した「特開２００１−２８２４６９号公報」（以下「引用例２」という。）には，図面とともに以下のことが記載されている。
　
（エ）「【００８７】すなわち，携帯端末３は，上記図２において制御機能の概要で説明したように，利用会員登録処理部３Ａと，（中略）を有している。これらの制御機能は，携帯端末３内の主にＣＰＵ３１において実行される以下のプログラム処理により実現される。
【００８８】ＣＰＵ３１は，記憶装置３６内に格納されているシステムプログラム及び当該システムに対応する各種アプリケーションプログラムの中から指定されたアプリケーションプログラムをＲＡＭ３５内の図示しないプログラム格納領域に展開し，入力部３３から入力される各種指示あるいはデータをＲＡＭ３５内に一時的に格納し，この入力指示及び入力データに応じて記憶装置３６内に格納されたアプリケーションプログラムに従って各種処理を実行（中略）する。（中略）
【００８９】また，ＣＰＵ３１は，（中略）後述する利用会員登録処理（図１５参照）を実行する。（中略）
【００９０】この利用会員登録処理において，ＣＰＵ３１は，（中略）ポータルサイトコンピュータ２から会員登録画面を受信する。（中略）
【００９２】また，会員登録画面において「新規モード」が選択された場合，ＣＰＵ３１は，入力されたユーザＩＤ（携帯電話番号）のポータルサイトコンピュータ２への送信により新規ユーザ登録が行われた後，会員情報登録画面を受信して会員情報を入力させる。（中略）
【０１０６】記憶装置３６は，プログラムやデータ等が予め記憶されている記憶媒体３７を有しており，（中略）この記憶媒体３７には携帯端末３に対応する各種アプリケーションプログラム，利用会員登録処理プログラム，本登録処理プログラム，（中略）及び各処理プログラムで処理されたデータ等を記憶する。」明細書段落【００８７】〜【０１０６】
　
（オ）「【０３５７】なお，上記実施の形態において，プリントステーション６に携帯端末３に設定された携帯電話番号を自動的に取り込む手段を設ければ，携帯端末３の利用者が携帯電話番号を入力する手間を省略できる。」明細書段落【０３５７】
　
　上記摘記事項（エ）〜（オ）によれば，携帯端末が備える携帯電話番号を自動的に取り込むことによって，利用者が携帯電話番号を入力することなしに取得していることから，当該携帯電話番号を自動的に取り込む機能が，携帯電話番号を自動送信する機能を含んでいると考えるのが自然であるので，引用例２には，以下の発明（以下「引用例２発明」という。）が開示されている。
　「携帯端末から会員登録を行う会員登録方法において，携帯端末が備える利用会員登録処理プログラムが携帯電話番号を自動的に送信する機能を備えていることと，当該携帯端末が備える携帯電話番号を自動送信することによって，携帯電話番号を取得すること。」
　
５−２．対比
　本願発明と，上記引用例１発明とを比較する。
　
（１）引用例１発明において，「会員登録装置」は，「携帯電話から発せられる信号を非接触で交信」する「交信部」を介して得た「電話番号」を，「通信部により管理コンピュータに送信」し，「管理コンピュータ」は「電話番号」を「通信部により会員登録装置から受信」するのであり，「携帯電話」と「管理コンピュータ」は，通信網を介して通信していると考えるのが自然であるので，引用例１発明と本願発明とは，「携帯電話から通信網を介して会員登録を行う会員登録方法」である点で共通する。
　
（２）引用例１発明において，「交信部により，携帯電話から発せられる信号を受けて非接触で交信し，該携帯電話に備えられるメモリーに記憶されている電話番号を読み取る」のであって，「電話番号」は，「携帯端末（携帯電話）を特定可能な情報」であることから，「携帯電話が固有に備える情報」と考えるのが自然であって，さらに，「携帯電話」が信号を発するためには，何らかの「送信アプリケーションプログラム」が携帯電話機に存在し，送信に際して，該プログラムが「起動」していると考えるのが自然であるので，引用例１発明と本願発明とは，「携帯端末が備える送信アプリケーションプログラムを起動させ，当該携帯電話が固有に備える電話番号を送信させることによって取得し」ている点で共通する。
　
（３）引用例１発明の管理コンピュータは，「該電話番号と該会員登録情報を対応付けて記録したリストを制御部により作成して，会員ＤＢに記憶」しており，当該「該電話番号と該会員登録情報を対応付けて記録したリスト」とは，会員登録データであると考えるのが自然であるので，引用例１発明と本願発明とは，「当該電話番号を会員登録データとして会員登録を行う」点で共通する。
　
　ここで，これら引用例１発明の「携帯電話」，「電話番号」は，それぞれ本願発明の「携帯端末」，「識別データ」にそれぞれ対応している。
　
　以上のとおりであることから，引用例１発明と本願発明とは，
　
「携帯端末から通信網を介して会員登録を行う会員登録方法において，
　携帯端末が備える送信アプリケーションプログラムを起動させ，当該携帯端末が固有に備える識別データを送信させることによって取得し，当該識別データを会員登録データとして会員登録を行うことを特徴とする，会員登録方法。」
　
である点で一致し，以下の点で相違する。
　
［相違点］
　本願発明の端末が備える送信アプリケーションプログラムが，自動送信の機能を備える「自動送信アプリケーションプログラム」であって，当該「自動送信アプリケーションプログラム」が「外部起動」させられ，識別データを「自動送信」させることによって「自動取得」するのに対し，引用例１発明の送信アプリケーションプログラムが自動送信する機能を備えているかが記載されておらず，さらに，当該「自動送信アプリケーションプログラム」が「外部起動」させられて，識別データを「自動送信」させることによって「自動取得」することが記載されていない点。
　
５−３．判断
［相違点］について。
　引用例２発明は，携帯端末から会員登録を行う会員登録方法に関する発明である点で，引用例１発明と共通の技術分野における同一の登録方法に関する発明であって，携帯端末が備える利用会員登録処理プログラムが携帯電話番号を自動的に送信する機能を備えていることと，当該携帯端末が備える携帯電話番号を自動送信することによって，利用者が携帯電話番号を取得する発明である。
　さらに，携帯端末を用いたシステムの利用方法において，携帯端末の通信網を介した操作を自動化させるために，当該携帯端末に備えられたアプリケーションプログラムを外部起動させる手段は，例えば，特開２００２−８３３２２号公報（以下，「周知例１」という。）の段落【００４３】−【００４４】に「移動機６０は，・・ゲート制御部６２とを備えている。・・ゲート制御部６２は，・・通信制御部６５・・を備えている。・・通信制御部６５は，アンテナ６７とゲート用処理装置４０のアンテナ４１との無線結合により，ゲート用処理装置４０からの無線による非接触での送信（呼び掛け）に呼応して，処理を開始しデータの送受信を制御する」ことが記載されていることや，特開２００２−９５０５１号公報（以下，「周知例２」という。）の段落【００４１】に「携帯電話機Ｍを所持する利用者が携帯電話機能により通話中の状態で自動改札機２に近づいた際，携帯電話機Ｍの制御回路２０は，自動改札機２の主制御部４１からの問合せ信号を受信し（ＳＴ２），メモリ２１に登録されているＩＤ番号（定期券かＳＦカードかを示す識別コードを含む）をブルートゥース機能により自動改札機２の主制御部４１へ送信する」こと，特開２００２−６８６９号公報（以下，「周知例３」という。）の段落【００２４】−【００２６】に「サービスエリア内に「Stanby」状態で待機中の携帯電話機２が持ち込まれると，BlueToothインタフェースＳは携帯電話機２のBlueToothインタフェースＣとの間でBlueToothのプロトコルに従って通信リンクを確立する。・・カラオケ装置は・・カラオケ利用プログラムの起動指令を記載したデータパケットを携帯電話機２に送信する。携帯電話機２は，このデータパケットを受信すると直ちにカラオケ利用プログラムを起動する」こと，特開２００１−２８５１８４号公報（以下，「周知例４」という。）の段落【００２９】に「マスタ端末１００は問い合わせ制御機能１０４ｄを起動し，移動機固有情報（電話番号）の問合せをＢＴ無線部１０７を介して送信する。ステップ４０５で，移動機２００は移動機固有情報問合せを受けると，メモリ情報読み出し機能２０５ｅを起動させ，メモリ２０４内に保存された電話番号を読み出し，ＢＴ無線部２０９を介して自己の電話番号５５５−５５５５をマスタ端末１００に通知する」ことが記載されているように，周知の事項である。
　よって，引用例１発明の会員登録方法に，同一技術分野に属する引用例２発明を組み合わせ，引用例１発明の端末が備える送信アプリケーションプログラムを，自動送信の機能を備える「自動送信アプリケーションプログラム」とし，携帯端末が固有に備える識別データを送信する際に，識別データを「自動送信」させること，その際に，携帯端末の操作の自動化に関する周知の事項を参酌して，当該「自動送信アプリケーションプログラム」を「自動起動」するようにし，識別データを「自動送信」させることによって「自動取得」するように構成することは，当業者が容易に想到することができたものである。
　
　以上判断したとおり，本願発明における上記［相違点］に係る発明特定事項は，当業者が容易に想到することができたものである。
　また，本願発明の作用効果も，各引用例１〜２発明及び各周知の事項から当業者が予測できる範囲のものである。
　
５−４．まとめ
　
　したがって，本願発明は，上記引用例１〜２発明及び各周知の事項に基づいて，当業者が容易に発明をすることができたものである。
　
６．むすび
　以上のとおり，本願発明は，各引用例１〜２発明及び周知の事項に基づいて，当業者が容易に発明をすることができたものであり，特許法第２９条第２項の規定により特許を受けることができない。
　したがって，本願は，他の請求項について検討するまでもなく，拒絶されるべきものである。 
　よって，結論のとおり審決する。